(57)【要約】【課題】組み立てが簡単で、部品点数を少なくすることができる引戸枠を提供すること。【解決手段】引戸枠１の上枠１０の上面１１の端部を突出させて、竪枠２０の上面を覆う蓋部１２を形成するとともに、この蓋部１２に、竪枠２０の上面を覆った状態で竪枠２０から突出する折曲部１３を設け、竪枠２０の上面に、蓋部１２及び折曲部１３に合わせた切欠部２１、２２を形成する。【選択図】図２
2008082047.tif 000002
【特許請求の範囲】
【請求項１】
引戸枠の上枠の上面端部を突出させて、竪枠上面を覆う蓋部を形成するとともに、該蓋部に、竪枠上面を覆った状態で竪枠から突出する折曲部を設け、竪枠上面に、前記蓋部及び折曲部に合わせた切欠部を形成したことを特徴とする引戸枠。
【請求項２】
折曲部に下穴を設け、竪枠側面に、蓋部が竪枠上面を覆った状態で折曲部を竪枠に沿って折り曲げたときに、前記下穴に該当する位置にネジ穴を設けたことを特徴とする請求項１記載の引戸枠。
【請求項３】
竪枠側面に、蓋部が竪枠上面を覆った状態で折曲部を竪枠に沿って折り曲げ、さらに、折曲部を上枠方向に折り曲げることを許容する開口部を設けたことを特徴とする請求項１記載の引戸枠。
【発明の詳細な説明】
【技術分野】
【０００１】
本発明は、引戸枠に関し、特に、組み立てが簡単で、部品点数を少なくすることができる引戸枠に関するものである。
【背景技術】
【０００２】
従来の引戸枠３０を図６〜図７に示す。
この引戸枠３０は、上枠３２と、戸先側の竪枠３３及び戸尻側の竪枠３４と、戸袋入口を形成する方立３１と、方立３１と戸尻側の竪枠３４とを連結する巾木としての下枠３５とからなり、引戸扉が上吊り式の場合には上枠３２の近傍に引戸扉の前後に配設した戸車を載置する走行用レール（図示省略）を配備し、床面レール式の場合には、戸先側の竪枠３３及び戸尻側の竪枠３４の下部に引戸扉の下面に配設した走行車輪を載置するレール形状の下枠（図示省略）を配備するようにしている。
【０００３】
そして、通常、これら引戸枠３０の各部材は、接合用ピースを用いてビス止めするようにされている。
図７は、戸先側の竪枠３３と上枠３２とを連結した状態を示す。
この竪枠３３と上枠３２との連結には、上枠３２の内部底面に溶接止めした断面Ｌ字状の接合用ピース３７のネジ穴に、ビス３８を竪枠３３の内面の下穴３３ａを貫通させて螺合し、連結固定するようにしている。
この際、竪枠３３の上面は開放されており、引戸枠３０を建造物の所定の位置に設置するとき、竪枠３３の上部に当接する石膏ボード（図示省略）が、竪枠３３の板厚と線接触するようになるため、石膏ボードが欠ける等の不具合が発生することとなり、これを防止するために、竪枠３３の上面を形成する目的を兼ねて、断面略コ字状の補強材３６をビス３８と竪枠３３の内面との間に挟み込むようにしている。
これによって、補強材３６の上面３６ａが竪枠３３の上面を形成することとなる。
【０００４】
このように、従来の引戸枠３０では、竪枠３３と上枠３２との連結の際、ビス止めの箇所が竪枠３３の折り返し部３３ｂの内部となって作業が煩雑になるとともに、接合用ピース３７と補強材３６とが必要となり部品点数が多くなるという問題があった。
【発明の開示】
【発明が解決しようとする課題】
【０００５】
本発明は、上記従来の引戸枠の有する問題点に鑑み、組み立てが簡単で、部品点数を少なくすることができる引戸枠を提供することを目的とする。
【課題を解決するための手段】
【０００６】
上記目的を達成するため、本発明の引戸枠は、引戸枠の上枠の上面端部を突出させて、竪枠上面を覆う蓋部を形成するとともに、該蓋部に、竪枠上面を覆った状態で竪枠から突出する折曲部を設け、竪枠上面に、前記蓋部及び折曲部に合わせた切欠部を形成したことを特徴とする。
【０００７】
この場合において、折曲部に下穴を設け、竪枠側面に、蓋部が竪枠上面を覆った状態で折曲部を竪枠に沿って折り曲げたときに、前記下穴に該当する位置にネジ穴を設けることができる。
【０００８】
また、竪枠側面に、蓋部が竪枠上面を覆った状態で折曲部を竪枠に沿って折り曲げ、さらに、折曲部を上枠方向に折り曲げることを許容する開口部を設けることができる。
【発明の効果】
【０００９】
本発明の引戸枠によれば、引戸枠の上枠の上面端部を突出させて、竪枠上面を覆う蓋部を形成するとともに、該蓋部に、竪枠上面を覆った状態で竪枠から突出する折曲部を設け、竪枠上面に、前記蓋部及び折曲部に合わせた切欠部を形成することにより、上枠の蓋部で竪枠の上面を形成し、折曲部を竪枠に沿って折り曲げることによって上枠と竪枠とを連結することができる。また、竪枠上面には、蓋部及び折曲部に合わせた切欠部が形成されているため、竪枠と上枠の位置決めが容易で組み立て作業を効率よく行うことができる。
【００１０】
また、折曲部に下穴を設け、竪枠側面に、蓋部が竪枠上面を覆った状態で折曲部を竪枠に沿って折り曲げたときに、前記下穴に該当する位置にネジ穴を設けることにより、上枠と竪枠との連結をビス止めによって強固なものとすることができるとともに、ビスは竪枠の折り返し部の外側から取り付けるから、その作業を簡単に行うことができる。
【００１１】
また、竪枠側面に、蓋部が竪枠上面を覆った状態で折曲部を竪枠に沿って折り曲げ、さらに、折曲部を上枠方向に折り曲げることを許容する開口部を設けることにより、ビス等の締結部材を用いることなく、上枠と竪枠との連結を強固なものとすることができる。
【発明を実施するための最良の形態】
【００１２】
以下、本発明の引戸装置の実施の形態を、図面に基づいて説明する。なお、従来装置と同様の構造については同一の符号、一連の符号を付し説明を省略する。
【実施例１】
【００１３】
図１〜図３に、本発明の引戸枠の第１実施例を示す。
この引戸枠１は、上枠１０と、戸先側の竪枠２０及び戸尻側の竪枠４と、戸袋入口を形成する方立２と、方立２と戸尻側の竪枠４とを連結する巾木としての下枠３とからなり、引戸扉が上吊り式の場合には上枠近傍に引戸扉の前後に配設した戸車を載置する走行用レール（図示省略）を配備し、床面レール式の場合には、戸先側の竪枠２０及び戸尻側竪枠４の下部に引戸扉の下面に配設した走行車輪を載置するレール形状の下枠（図示省略）を配備するようにしている。
【００１４】
そして、この引戸枠１の上枠１０の構造は、図２（ａ）に示すように、上面１１の端部を他面の端部１０ａよりも突出させ、上枠１０と竪枠２０とを連結した状態で、竪枠２０の上面となる蓋部１２を形成するようにしている。
また、蓋部１２は、竪枠２０上面を覆った状態で竪枠２０から突出する折曲部１３を備えるようにしている。
【００１５】
竪枠２０は、その上面２０ａに、蓋部１２及び折曲部１３に合わせた切欠部２１、２２を形成するようにしている。
この切欠部２１、２２は、図２（ｂ）、（ｃ）に示すように、蓋部１２が竪枠２０の上部を覆った状態で、上枠１０の上面１１と竪枠２０の上面２０ａが面一となるように、その切り欠き深さを上枠１０の蓋部１２の厚みと略等しい深さとなるようにしている。
【００１６】
この引戸枠１の組み立ては、図３に示すように、上枠１０の端部１０ａを竪枠２０の内側側面に当接させながら、切欠部２１、２２に蓋部１２及び折曲部１３が位置するように配置する（図３（ａ）参照）。
【００１７】
その後、適宜の工具を用いて、折曲部１３を竪枠２０の外側側面に沿って折り曲げる。
この際、折曲部１３と上枠１０の端部１０ａとで竪枠２０を挟み込むようになるから、上枠１０と竪枠２０とを十分な強度で連結することができる。
【００１８】
なお、上枠１０と戸先側の竪枠２０との連結以外の箇所においても、上記連結構造と同様の連結構造を用いて連結するようにしている。
【実施例２】
【００１９】
図４に、本発明の引戸枠の第２実施例を示す。
この引戸枠１は、引戸枠１の折曲部１３に下穴１３ａを設け、竪枠２０の外側側面に、蓋部１２が竪枠２０の上面２０ａを覆った状態で折曲部１３を竪枠２０に沿って折り曲げたときに、下穴１３ａに該当する位置にネジ穴２３を設けるようにしている。
【００２０】
これによって、図４（ｂ）、（ｃ）に示すように、折曲部１３を竪枠２０の外側側面に沿って折り曲げた後に、下穴１３ａを貫通させてビス１４を竪枠２０の外側側面のネジ穴２３に螺合することができ、上枠１０と竪枠２０との連結を強固なものとすることができる。
【００２１】
なお、本実施例のその他の構成及び作用は、上記第１実施例の引戸枠と同様である。
【実施例３】
【００２２】
図５に、本発明の引戸枠の第３実施例を示す。
この引戸枠１は、蓋部１２が竪枠２０の上部を覆った状態で、折曲部１３を竪枠２０に沿って折り曲げ、さらに、折曲部１３を上枠１０の方向に折り曲げることを許容する開口部２４を竪枠２０の外側側面に設けるようにしている。
【００２３】
これによって、上枠１０は、折曲部１３が竪枠２０の切欠部２２と開口部２４との間の外側側面を抱え込むようになるから、ビス等の締結部材を用いることなく、上枠１０と竪枠２０との連結を強固なものとすることができる。
【００２４】
なお、本実施例のその他の構成及び作用は、上記第１実施例の引戸枠と同様である。
【００２５】
以上、本発明の引戸枠について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の引戸枠は、組み立てが簡単で、部品点数を少なくすることができることから、組み立て作業において熟練者の少ない施工現場に好適に適用することができる。
【図面の簡単な説明】
【００２７】
【図１】本発明の引戸枠の第１実施例を示す正面図である。
【図２】同引戸枠の上枠と戸先側の竪枠の斜視図で、（ａ）は上枠の端部を、（ｂ）は竪枠の上部を、（ｃ）は上枠を竪枠の上面に配置した状態を、それぞれ示す。
【図３】同引戸枠の上枠と戸先側の竪枠との連結構造を示す斜視図で、（ａ）は上枠を竪枠の上面に配置した状態を、（ｂ）は上枠の折曲部を竪枠の外側側面に沿って折り曲げた状態を、それぞれ示す。
【図４】本発明の引戸枠の第２実施例の引戸枠の上枠と戸先側の竪枠の連結構造を示す斜視図で、（ａ）は上枠を竪枠の上面に配置した状態を、（ｂ）は上枠の折曲部を竪枠の外側側面に沿って折り曲げた状態を、（ｃ）は折曲部と竪枠をビス止めした状態を、それぞれ示す。
【図５】本発明の引戸枠の第３実施例の引戸枠の上枠と戸先側の竪枠の連結構造を示す斜視図で、（ａ）は上枠を竪枠の上面に配置した状態を、（ｂ）は上枠の折曲部を竪枠の外側側面に沿って折り曲げた状態を、（ｃ）は折曲部をさらに折り曲げて竪枠の開口部に挿入した状態を、それぞれ示す。
【図６】従来の引戸枠を示す正面図である。
【図７】従来の引戸枠を示し、（ａ）は図６のＸ−Ｘ矢視図、（ｂ）は（ａ）のＹ−Ｙ断面図である。
【符号の説明】
【００２８】
１      引戸枠
１０    上枠
１１    上面
１２    蓋部
１３    折曲部
１３ａ  下穴
１４    ビス
２０    竪枠
２０ａ  上面
２１    切欠部
２２    切欠部
２３    ネジ穴
２４    開口部
【図１】
2008082047.tif 000003
【図２】
2008082047.tif 000004
【図３】
2008082047.tif 000005
【図４】
2008082047.tif 000006
【図５】
2008082047.tif 000007
【図６】
2008082047.tif 000008
【図７】
2008082047.tif 000009